(57)【要約】【課題】故障箇所の特定処理に支障が生じない構成の画像形成装置を提供する。【解決手段】画像形成装置は、＋１２Ｖ電源電圧を生成する電源基板２０１、コントローラ基板２０２、及び第１ドライバ基板２０７を備える。コントローラ基板２０２は、＋１２Ｖ電源電圧を変圧して＋３．３Ｖ電源電圧を生成するＤＣＤＣコンバータ２０３、＋３．３Ｖ電源電圧により動作するＣＰＵ２０４、及び＋３．３Ｖ電源電圧を入力して負荷用の＋３．３Ｖ＿ＥＸＴ１電圧として出力するとともに、＋３．３Ｖ電源電圧の入力を遮断する保護機能を有する第１ハイサイドＳＷ２０５を備える。第１ドライバ基板２０７は、＋３．３Ｖ＿ＥＸＴ１電圧により動作する。第１ハイサイドＳＷ２０５は、＋３．３Ｖ＿ＥＸＴ１電圧に異常が発生すると、＋３．３Ｖ電源電圧の入力を遮断して、ＣＰＵ２０４に＋３．３Ｖ電源電圧の入力が遮断されたことを通知する【選択図】図２
2020076840.tif 000002
【特許請求の範囲】
【請求項１】
第１電源電圧を生成する電源手段と、
前記電源手段から供給される前記第１電源電圧を変圧して第２電源電圧を生成する生成手段、生成した前記第２電源電圧により動作して故障箇所の特定処理を行う特定手段、及び前記第２電源電圧を入力して負荷用の第３電源電圧として出力するとともに、前記第２電源電圧の入力を遮断する保護機能を有する供給手段を有するコントローラと、
前記供給手段から供給される前記第３電源電圧により動作する前記負荷としてのドライバと、を備えており、
前記供給手段は、前記ドライバへ供給する前記第３電源電圧に異常が発生すると、前記第２電源電圧の入力を遮断するとともに、前記特定手段に前記第２電源電圧の入力が遮断されたことを通知することを特徴とする、
画像形成装置。
【請求項２】
前記ドライバは複数設けられ、
前記供給手段は、各ドライバに対応してそれぞれ設けられ、
前記特定手段は、前記第３電源電圧に異常が発生すると、異常が発生した前記第３電源電圧を出力する供給手段からの通知に基づいて、故障したドライバを特定することを特徴とする、
請求項１に記載の画像形成装置。
【請求項３】
前記特定手段は、前記第３電源電圧を出力する供給手段の過電流の発生を検知すると、前記過電流が発生した供給手段に接続されるドライバが故障していると特定することを特徴とする、
請求項２に記載の画像形成装置。
【請求項４】
前記第２電源電圧の電圧値と前記第３電源電圧の電圧値は同じであることを特徴とする、
請求項１乃至３の何れか１項に記載の画像形成装置。
【請求項５】
複数の前記ドライバに出力される前記第３電源電圧の電圧値は同じであることを特徴とする、
請求項２を引用する請求項４に記載の画像形成装置。
【請求項６】
第１電源電圧を生成する電源手段と、
前記電源手段から供給される前記第１電源電圧を変圧して第２電源電圧を生成する第１生成手段、前記第２電源電圧から第３電源電圧を生成する第２生成手段、前記第３電源電圧により動作して故障箇所の特定処理を行う特定手段、前記第２電源電圧を入力して第１の負荷用の第４電源電圧として出力するとともに、前記第２電源電圧の入力を遮断する保護機能を有する第１供給手段、及び前記第３電源電圧を入力して第２の負荷用の第５電源電圧として出力するとともに、前記第３電源電圧の入力を遮断する保護機能を有する第２供給手段、を有するコントローラと、
前記第１供給手段から供給される前記第４電源電圧により動作する前記第１の負荷としての第１ドライバと、
前記第２供給手段から供給される前記第５電源電圧により動作する前記第２の負荷としての第２ドライバと、を備えており、
前記第１供給手段は、前記第１ドライバへ供給する前記第４電源電圧に異常が発生すると、前記第１供給手段からの前記第２電源電圧の入力を遮断するとともに、前記特定手段に前記第２電源電圧の入力が遮断されたことを通知し、
前記第２供給手段は、前記第２ドライバへ供給する前記第５電源電圧に異常が発生すると、前記第２供給手段からの前記第３電源電圧の入力を遮断するとともに、前記特定手段に前記第３電源電圧の入力が遮断されたことを通知することを特徴とする、
画像形成装置。
【請求項７】
前記特定手段は、前記第４電源電圧に異常が発生すると、前記第１供給手段からの通知に基づいて、前記第１ドライバが故障していることを特定し、前記第４電源電圧に異常が発生すると、前記第２供給手段からの通知に基づいて、前記第２ドライバが故障しているとことを特定することを特徴とする、
請求項６に記載の画像形成装置。
【請求項８】
第１電源電圧を生成する電源手段と、
前記電源手段から供給される前記第１電源電圧を変圧して第２電源電圧を生成する生成手段、生成された前記第２電源電圧により動作する特定手段、及び前記第２電源電圧を入力して負荷用の第３電源電圧として出力するとともに、前記第２電源電圧の入力を遮断する保護機能を有する供給手段を有するコントローラと、
前記供給手段から供給される前記第３電源電圧により動作する前記負荷としてのドライバと、を備えた画像形成装置により実行される方法であって、
前記供給手段が、前記ドライバへ供給する前記第３電源電圧に異常が発生すると、前記第２電源電圧の入力を遮断するとともに、前記特定手段に前記第２電源電圧の入力が遮断されたことを通知し、
前記特定手段が、前記供給手段からの前記通知に応じて故障箇所を特定することを特徴とする、
故障箇所の特定方法。
【請求項９】
前記供給手段が、過電流を検知すると、前記ドライバへ供給される前記第３電源電圧の異常を前記特定手段に通知し、
前記特定手段が、前記供給手段からの前記通知により前記ドライバへ供給される前記第３電源電圧の異常を判定することを特徴とする、
請求項８に記載の故障箇所の特定方法。
【請求項１０】
第１電源電圧を生成する電源手段と、
前記電源手段から供給される前記第１電源電圧を変圧して第２電源電圧を生成する第１生成手段、前記第２電源電圧から第３電源電圧を生成する第２生成手段、前記第３電源電圧により動作する特定手段、前記第２電源電圧を入力して第１の負荷用の第４電源電圧として出力するとともに、前記第２電源電圧の入力を遮断する保護機能を有する第１供給手段、及び前記第３電源電圧を入力して第２の負荷用の第５電源電圧として出力するとともに、前記第３電源電圧の入力を遮断する保護機能を有する第２供給手段を有するコントローラと、
前記第１供給手段から供給される前記第４電源電圧により動作する前記第１の負荷としての第１ドライバと、
前記第２供給手段から供給される前記第５電源電圧により動作する前記第２の負荷としての第２ドライバと、を備えた画像形成装置により実行される方法であって、
前記第１供給手段が、前記第１ドライバへ供給する前記第４電源電圧に異常が発生すると、前記第１供給手段からの前記第２電源電圧の入力を遮断するとともに、前記特定手段に前記第２電源電圧の入力が遮断されたことを通知し、
前記第２供給手段が、前記第２ドライバへ供給する前記第５電源電圧に異常が発生すると、前記第２供給手段からの前記第３電源電圧の入力を遮断するとともに、前記特定手段に前記第３電源電圧の入力が遮断されたことを通知し、
前記特定手段が、前記第１供給手段及び前記第２供給手段からの通知に応じて故障箇所を特定することを特徴とする、
故障箇所の特定方法。
【請求項１１】
前記第１供給手段が、過電流を検知すると、前記第４電源電圧の異常を前記特定手段に通知し、
前記第２供給手段が、過電流を検知すると、前記第５電源電圧の異常を前記特定手段に通知し、
前記特定手段が、前記第１供給手段からの通知により前記第４電源電圧の異常を判定し、前記第２供給手段からの通知により前記第５電源電圧の異常を判定することを特徴とする、
請求項１０に記載の故障箇所の特定方法。
【発明の詳細な説明】
【技術分野】
【０００１】
本発明は、複写機、プリンタ等の画像形成装置において、異常が発生したときに異常の原因となった故障箇所を特定する技術に関する。
【背景技術】
【０００２】
画像形成装置は、複数の構成部品が協働して動作することでシートへ画像を形成する。各構成部品の動作は、個々に制御される。動作制御が正常に終了しない場合、画像形成装置は、エラーコードの表示や、ネットワークを介したコールセンタへのエラーコードの送信により、異常の発生を報知する。画像形成装置のサービスマンは、エラーコードに基づいて故障箇所の構成部品の交換等の画像形成装置の修理を行う。このように、画像形成装置の動作を正常状態に復帰させるサービスサポートが運用されている。特許文献１は、エラーコードに対応するサービスマニュアルを印刷することで、発生した異常への対処方法を明確に且つ確実にサービスマンに提供する画像形成装置を提供する。
【先行技術文献】
【特許文献】
【０００３】
【特許文献１】特開２００８−１４５９４８号公報
【発明の概要】
【発明が解決しようとする課題】
【０００４】
異常の発生した構成部品の電源系統と異常発生時に故障箇所を特定する特定手段の電源系統とが同じ場合、異常の発生により特定手段が正常に動作しなくなることがある。例えば、異常の発生により電源系統に過電流が流れることで、特定手段に印加される電圧が変動して正常な特定処理が行えなくなる可能性がある。
【０００５】
本発明は、上記課題に鑑みてなされたものであり、異常発生時の故障箇所の特定処理に支障が生じない構成の画像形成装置を提供することを目的とする。
【課題を解決するための手段】
【０００６】
本発明の画像形成装置は、第１電源電圧を生成する電源手段と、前記電源手段から供給される前記第１電源電圧を変圧して第２電源電圧を生成する生成手段、生成した前記第２電源電圧により動作して故障箇所の特定処理を行う特定手段、及び前記第２電源電圧を入力して負荷用の第３電源電圧として出力するとともに、前記第２電源電圧の入力を遮断する保護機能を有する供給手段を有するコントローラと、前記供給手段から供給される前記第３電源電圧により動作する前記負荷としてのドライバと、を備えており、前記供給手段は、前記ドライバへ供給する前記第３電源電圧に異常が発生すると、前記第２電源電圧の入力を遮断するとともに、前記特定手段に前記第２電源電圧の入力が遮断されたことを通知することを特徴とする。
【発明の効果】
【０００７】
本発明によれば、第２電源電圧に異常が発生すると第２電源電圧の出力を停止するために、特定手段による異常発生時の故障箇所の特定処理に支障が生じない。
【図面の簡単な説明】
【０００８】
【図１】画像形成装置の構成図。
【図２】制御系統の説明図。
【図３】故障箇所の特定処理を表すフローチャート。
【図４】制御系統の説明図。
【図５】故障箇所の特定処理を表すフローチャート。
【発明を実施するための形態】
【０００９】
本発明の画像形成装置について、図面を参照しながら説明する。
【００１０】
（画像形成装置）
図１は、本実施形態の画像形成装置の構成図である。画像形成装置１は、画像読取部２、画像形成部３、及び操作部１０００を備えている。画像読取部２は、原稿Ｄから原稿画像を読み取る。画像形成部３は、シートＳに画像を形成する。操作部１０００は、キーボタンやタッチパネル等の入力装置と、ディスプレイ等の出力装置とを備えるユーザインタフェースである。画像形成装置１は、画像読取部２で読み取った原稿画像を画像形成部３によりシートＳに形成する複写機能を備える。
【００１１】
画像読取部２は、上部に透明ガラス板からなる原稿台４、及び原稿圧着板５が設けられる。原稿台４は、原稿Ｄが、画像面を下向きにして所定の位置に載置される。原稿圧着板５は、原稿台４に載置された原稿Ｄを押圧固定する。原稿台４の下側には、原稿Ｄを照明するランプ６と、画像処理ユニット７と、照明した原稿Ｄの光像を画像処理ユニット７に導くための反射ミラー８、９、１０からなる光学系と、が設けられている。ランプ６及び反射ミラー８、９、１０は所定の速度で移動して原稿Ｄを走査する。画像処理ユニット７は、受光する原稿Ｄの光像に基づいて原稿画像を表す画像データを生成する。
【００１２】
画像形成部３は、画像形成を行うために、感光ドラム１１、一次帯電ローラ１２、ロータリ現像ユニット１３、中間転写ベルト１４、転写ローラ１５、クリーナ１６、レーザユニット１７、及び定着器１９等の構成部品を備えている。感光ドラム１１は、ドラム形状の感光体であり、一次帯電ローラ１２により表面が一様に帯電される。レーザユニット１７は、画像読取部２から画像データを取得し、この画像データに応じて発光制御されたレーザ光を表面が帯電された感光ドラム１１に照射する。これにより感光ドラムの表面に画像データに応じた静電潜像が形成される。
【００１３】
ロータリ現像ユニット１３は、感光ドラム１１の表面に形成された静電潜像にマゼンタ（Ｍ）、シアン（Ｃ）、イエロー（Ｙ）、ブラック（Ｋ）の各色のトナーを付着させて、感光ドラム１１の表面にトナー像を形成する。ロータリ現像ユニット１３は、回転現像方式の現像器である。ロータリ現像ユニット１３は、現像器１３Ｋ、現像器１３Ｙ、現像器１３Ｍ、及び現像器１３Ｃを有し、モータ（ロータリモータ）により回転される。現像器１３Ｋは、ブラックのトナーによる現像を行う。現像器１３Ｙは、イエローのトナーによる現像を行う。現像器１３Ｍは、マゼンタのトナーによる現像を行う。現像器１３Ｃは、シアンのトナーによる現像を行う。
感光ドラム１１上にモノクロのトナー像を形成する場合、ロータリ現像ユニット１３は、感光ドラム１１と近接する現像位置に現像器１３Ｋを回転移動させて現像を行う。フルカラーのトナー像を形成する場合、ロータリ現像ユニット１３は、回転して、現像位置に各現像器１３Ｙ、１３Ｍ、１３Ｃ、１３Ｋを順に配置させ、順次各色のトナーによる現像を行う。
【００１４】
ロータリ現像ユニット１３によって感光ドラム１１に形成されたトナー像は、転写体である中間転写ベルト１４に転写される。転写後に感光ドラム１１に残留するトナーは、クリーナ１６により除去される。フルカラーのトナー像を形成する場合、トナー像は、一色ずつに感光ドラム１１から中間転写ベルト１４に転写される。つまりイエロー、マゼンタ、シアン、ブラックの順に、一色ずつ中間転写ベルト１４にトナー像が転写される。クリーナ１６は、転写の度に感光ドラム１１に残留するトナーを除去する。このように、一色ずつ順にトナー像が転写されることで、中間転写ベルト１４にフルカラーのトナー像が形成される。
【００１５】
中間転写ベルト１４に転写されたトナー像は、転写ローラ１５によりシートＳに転写される。シートＳは、用紙カセット１８又は手差しトレイ５０から転写ローラ１５へ給送される。画像形成装置１は、シートＳを搬送経路に給送するためのローラ等の給送機構を備える。
【００１６】
定着器１９は、シートＳの搬送方向で転写ローラ１５の下流側に設けられる。定着器１９は、シートＳに、転写されたトナー像を定着させる。トナー像が定着されたシートＳは、定着器１９から排出ローラ対２１を介して画像形成装置１の機外に排出される。
【００１７】
画像形成装置１は、内部の感光ドラム１１やロータリ現像ユニット１３等の構成部品にアクセスするために、開閉可能な前ドア２２を備える。画像形成装置１内の上記の各構成部品の修理や点検、消耗品の交換の際には、前ドア２２が開放される。画像形成装置１は、前ドア２２の開閉を検知するための前ドア開閉センサ８０１を備える。
【００１８】
画像形成装置１は、各用紙カセット１８の開閉を検知するための用紙カセット開閉センサ９２及び用紙カセット１８内のシートＳのサイズを検知する不図示の用紙サイズ検知センサを備える。用紙カセット１８が閉じられると、用紙カセット開閉センサ９２がこれを検知する。用紙サイズ検知センサは、用紙カセット１８が閉じられたことを用紙カセット開閉センサ９２が検知すると、この検知結果に基づいて自動的にシートＳのサイズを検知する。
【００１９】
画像形成装置１は、手差しトレイ５０上のシートＳの有無を検知する手差し用紙センサ９１を備える。手差し用紙センサ９１が手差しトレイ５０にシートＳが載置されたことを検知すると、画像形成装置１は、載置されたシートＳのサイズ設定をユーザに促す画面を操作部１０００に表示する。ユーザが画面の指示に従ってシートサイズを設定することで、画像形成装置１は、手差しトレイ５０上のシートＳのサイズを認識することができる。
なお、画像形成装置１の構成は、上述した構成に限らず、例えば、複数の色成分に対応して、複数の感光ドラムが転写ベルトの移動方向に沿って設けられる周知の構成の画像形成装置であってもよい。
【００２０】
（第１実施形態）
図２は、第１実施形態の画像形成装置１の制御系統の説明図である。制御系統は、電源基板２０１、コントローラ基板２０２、第１ドライバ基板２０７、及び第２ドライバ基板２０９の４種類の基板を備える。
【００２１】
電源基板２０１は、電源電圧（本実施形態では＋１２［Ｖ］）を生成して出力する。＋１２［Ｖ］の電源電圧（＋１２Ｖ電源電圧）は、コントローラ基板２０２へ供給される。
コントローラ基板２０２は、ＤＣＤＣコンバータ２０３、ＣＰＵ（Central Processing Unit）２０４、第１ハイサイドスイッチ（ＳＷ）２０５、及び第２ハイサイドスイッチ（ＳＷ）２０６を備える。ＤＣＤＣコンバータ２０３は、電源基板２０１から供給される＋１２Ｖ電源電圧を＋３．３［Ｖ］の電圧に変圧する。ＤＣＤＣコンバータ２０３で生成された＋３．３［Ｖ］の電圧（＋３．３Ｖ電源電圧）は、ＣＰＵ２０４、第１ハイサイドＳＷ２０５及び第２ハイサイドＳＷ２０６に給電される。ＣＰＵ２０４は、＋３．３Ｖ電源電圧により動作し、コントローラ基板２０２、第１ドライバ基板２０７、及び第２ドライバ基板２０９の動作を制御する。ＣＰＵ２０４は、第１ハイサイドＳＷ２０５及び第２ハイサイドＳＷ２０６の状態を検知することが可能である。
【００２２】
第１ハイサイドＳＷ２０５は、＋３．３Ｖ電源電圧を分岐して、第１ドライバ基板２０７等へ供給するスイッチング素子である。第１ハイサイドＳＷ２０５は、第１ドライバ基板２０７で過電流が流れるような異常が発生した際に、該異常がコントローラ基板２０２内の＋３．３Ｖ電源電圧の電源系統へ影響することを抑止するように保護機能を有する保護素子でもある。第１ハイサイドＳＷ２０５は、第１ドライバ基板２０７で過電流が流れるような異常が発生すると、自ら（ＣＰＵからの指示がなくても）電源側（＋３．３Ｖ電源電圧側）を遮断する。第１ハイサイドＳＷ２０５からは、＋３．３［Ｖ］の電圧が、同じ電圧値の負荷用の＋３．３Ｖ＿ＥＸＴ１電圧として第１ドライバ基板２０７へ供給される。
【００２３】
第２ハイサイドＳＷ２０６は、＋３．３Ｖ電源電圧を分岐して、第２ドライバ基板２０９等へ供給するスイッチング素子である。第２ハイサイドＳＷ２０６は、第２ドライバ基板２０９で過電流が流れるような異常が発生した際に、該異常がコントローラ基板２０２内の＋３．３Ｖ電源電圧の電源系統へ影響することを抑止するように保護機能を有する保護素子でもある。第２ハイサイドＳＷ２０６は、第２ドライバ基板２０９で過電流が流れるような異常が発生すると自ら電源側（＋３．３Ｖ電源電圧側）を遮断する。第２ハイサイドＳＷ２０６からは、＋３．３［Ｖ］の電圧が、同じ電圧値の負荷用の＋３．３Ｖ＿ＥＸＴ２電圧として第２ドライバ基板２０９へ供給される。
【００２４】
本実施形態のコントローラ基板２０２は、ＣＰＵ２０４に供給する＋３．３Ｖ電源電圧と、第１ドライバ基板２０７及び第２ドライバ基板２０９に供給する＋３．３Ｖ電源電圧と、を同一のＤＣＤＣコンバータ２０３により生成する。そのためにＣＰＵ２０４と、第１ドライバ基板２０７及び第２ドライバ基板２０９とは、同一の＋３．３Ｖ電源電圧の電源系統に接続される。これにより、コントローラ基板２０２は、例えば、ＣＰＵ２０４と、第１ドライバ基板２０７及び第２ドライバ基板２０９とに別の電源系統から給電する場合よりも低コストで実現される。
【００２５】
第１ドライバ基板２０７及び第２ドライバ基板２０９は、ロータリ現像ユニット１３の回転やシート搬送を行うためのモータ等の負荷の駆動制御を行う。第１ドライバ基板２０７は、第１ＡＳＩＣ（Application Specific Integrated Circuit）２０８を備える。第１ＡＳＩＣ２０８は、第１ハイサイドＳＷ２０５から供給される＋３．３Ｖ＿ＥＸＴ１電圧により動作する。第２ドライバ基板２０９は、第２ＡＳＩＣ２１０を備える。第２ＡＳＩＣ２１０は、第２ハイサイドＳＷ２０６から供給される＋３．３Ｖ＿ＥＸＴ２電圧により動作する。第１ＡＳＩＣ２０８及び第２ＡＳＩＣ２１０は、ＣＰＵ２０４の制御により、それぞれ対応する負荷の動作を制御する。
【００２６】
なお、本実施形態では、２つのドライバ基板を備える例を説明するが、ドライバ基板の数はこれに限られない。例えば、ドライバ基板を複数設けてもよい。この場合、コントローラ基板２０２は、各ドライバ基板に対応した数のハイサイドＳＷを備えることになる。また、１つのドライバ基板と１つのハイサイドＳＷとを備える構成であってもよい。
【００２７】
図３は、このような画像形成装置１による故障箇所の特定処理を表すフローチャートである。この処理は、負荷の異常によらず、画像形成装置１の起動時から常時繰り返し実行される。コントローラ基板２０２のＣＰＵ２０４は、第１ドライバ基板２０７、第２ドライバ基板２０９の順に異常の検知を行う。
【００２８】
そのためにＣＰＵ２０４は、まず、第１ハイサイドＳＷ２０５が過電流を検知しているか否かの判定を行う（Ｓ３０１）。過電流の検知は、以下のように行われる。過電流は、＋３．３Ｖ＿ＥＸＴ１電圧の電源系統の異常（ショート等）により発生する。電源系統のショートは、例えば、電源線周囲にあるビスを止める際の線噛みや、負荷の故障、第１ドライバ基板２０７の故障により発生する。第１ハイサイドＳＷ２０５は、＋３．３Ｖ＿ＥＸＴ１電圧の電源系統に過電流が発生すると、＋３．３Ｖ電源電圧の入力を遮断することにより＋３．３Ｖ＿ＥＸＴ１電圧の出力を停止するとともに、過電流の発生をＣＰＵ２０４に通知する。
【００２９】
第１ハイサイドＳＷ２０５から過電流の発生が通知される場合（Ｓ３０１：Y）、ＣＰＵ２０４は、第１ドライバ基板２０７が故障していると判定する（Ｓ３０２）。第１ハイサイドＳＷ２０５から過電流の発生が通知されていない場合（Ｓ３０１：N）、ＣＰＵ２０４は、引き続き、第２ハイサイドＳＷ２０６が過電流を検知しているか否かの判定を行う（Ｓ３０３）。第２ハイサイドＳＷ２０６は、＋３．３Ｖ＿ＥＸＴ２電圧の電源系統に過電流が発生すると、＋３．３Ｖ電源電圧の入力を遮断することにより＋３．３Ｖ＿ＥＸＴ２電圧の出力を停止するとともに、過電流の発生をＣＰＵ２０４に通知する。
【００３０】
第２ハイサイドＳＷ２０６から過電流の発生が通知される場合（Ｓ３０３：Y）、ＣＰＵ２０４は、第２ドライバ基板２０９が故障していると判定する（Ｓ３０４）。第２ハイサイドＳＷ２０６から過電流の発生が通知されていない場合（Ｓ３０３：N）、ＣＰＵ２０４は、第１ドライバ基板２０７及び第２ドライバ基板２０９が正常に動作していると判定する（Ｓ３０５）。以上により、故障箇所の特定処理が終了する。なお、ＣＰＵ２０４は、特定した故障箇所をユーザやコールセンタへ報知する。例えばＣＰＵ２０４は、故障箇所の操作部１０００への表示や、通信回線を介した故障箇所のコールセンタへの通知により、故障箇所の報知を行う。
【００３１】
第１ハイサイドＳＷ２０５及び第２ハイサイドＳＷ２０６を用いない場合、第１ドライバ基板２０７及び第２ドライバ基板２０９に異常が生じると、正常な電圧（＋３．３Ｖ電源電圧）がＣＰＵ２０４へ供給されなくなる。この場合、ＣＰＵ２０４は、故障箇所の特定処理を実行できなくなる。本実施形態では、第１ハイサイドＳＷ２０５及び第２ハイサイドＳＷ２０６を用いることで、第１ドライバ基板２０７及び第２ドライバ基板２０９に異常が生じた場合であっても、ＣＰＵ２０４には、正常な電圧が供給される。そのために、ＣＰＵ２０４は、故障箇所の特定処理を実行することができる。
【００３２】
以上のように本実施形態の画像形成装置１は、第１ドライバ基板２０７、第２ドライバ基板２０９、負荷等に異常が生じた場合に、コントローラ基板２０２からの電圧の出力を停止する。具体的には、コントローラ基板２０２は、該当する電源系統に設けられるハイサイドＳＷを遮断する。これにより該当する電源系統に接続されるＣＰＵ２０４は、動作を停止することなく故障箇所の特定処理を継続して行うことができる。
【００３３】
（第２実施形態）
図４は、第２実施形態の画像形成装置１の制御系統の説明図である。制御系統は、電源基板４０１、コントローラ基板４０２、第１ドライバ基板４０８、及び第２ドライバ基板４１０の４種類の基板を備える。コントローラ基板４０２は、第１ドライバ基板４０８を介して第１センサ４１２に接続され、第２ドライバ基板４１０を介して第２センサ４１３に接続される。電源基板４０１は、第１実施形態の電源基板２０１と同様に、＋１２Ｖ電源電圧をコントローラ基板４０２へ供給する。
【００３４】
コントローラ基板４０２は、２種類の電圧を生成する。そのためにコントローラ基板４０２は、ＤＣＤＣコンバータ４０３、レギュレータ（ＲＥＧ）４０４、ＣＰＵ４０５、第１ハイサイドＳＷ４０６、及び第２ハイサイドＳＷ４０７を備える。ＤＣＤＣコンバータ４０３は、電源基板４０１から供給される＋１２Ｖ電源電圧を＋５［Ｖ］の電圧に変圧する。ＤＣＤＣコンバータ４０３で生成された＋５［Ｖ］の電圧（＋５Ｖ電源電圧）は、レギュレータ４０４及び第２ハイサイドＳＷ４０７に給電される。レギュレータ４０４は、ＤＣＤＣコンバータ４０３から供給される＋５電源電圧を＋３．３［Ｖ］の電圧に変圧する。レギュレータ４０４で生成された＋３．３［Ｖ］の電圧（＋３．３Ｖ電源電圧）は、ＣＰＵ４０５及び第１ハイサイドＳＷ４０６に給電される。ＣＰＵ４０５は、＋３．３Ｖ電源電圧により動作し、コントローラ基板４０２、第１ドライバ基板４０８、及び第２ドライバ基板４１０の動作を制御する。ＣＰＵ４０５は、第１ハイサイドＳＷ４０６及び第２ハイサイドＳＷ４０７の状態を検知することが可能である。
【００３５】
第１ハイサイドＳＷ４０６は、レギュレータ４０４からの＋３．３Ｖ電源電圧を分岐して、第１ドライバ基板４０８及び第２ドライバ基板４１０等へ供給するスイッチング素子である。第１ハイサイドＳＷ４０６は、第１ドライバ基板４０８及び第２ドライバ基板４１０の少なくとも一方で異常が発生した際に、該異常がコントローラ基板４０２内の＋３．３Ｖ電源電圧の電源系統へ影響することを抑止する機能を有する保護素子でもある。第１ハイサイドＳＷ４０６は、第１ドライバ基板４０８及び第２ドライバ基板４１０の少なくとも一方で異常が発生すると電源側（＋３．３Ｖ電源電圧側）をスイッチングする。第１ハイサイドＳＷ４０６からは、＋３．３［Ｖ］の電圧が、同じ電圧値の負荷用の＋３．３Ｖ＿ＥＸＴ電圧として第１ドライバ基板４０８及び第２ドライバ基板４１０へ供給される。
【００３６】
第２ハイサイドＳＷ４０７は、ＤＣＤＣコンバータ４０３からの＋５Ｖ電源電圧を分岐して、第１センサ４１２及び第２センサ４１３等へ供給するスイッチング素子である。第２ハイサイドＳＷ４０７からは、＋５［Ｖ］の電圧が、同じ電圧値の負荷用の＋５Ｖ＿ＥＸＴ電圧として第１センサ４１２及び第２センサ４１３へ供給される。第１センサ４１２及び第２センサ４１３は、＋５Ｖ＿ＥＸＴ電圧により動作する。第１センサ４１２及び第２センサ４１３は、例えば図１に示す手差し用紙センサ９１、用紙カセット開閉センサ９２、前ドア開閉センサ８０１等である。
【００３７】
第１ドライバ基板４０８及び第２ドライバ基板４１０は、ロータリ現像ユニット１３の回転やシート搬送を行うためのモータ等の負荷の駆動制御を行う。第１ドライバ基板４０８は、第１ＡＳＩＣ４０９を備える。第１ＡＳＩＣ４０９は、第１ハイサイドＳＷ４０６から供給される＋３．３Ｖ＿ＥＸＴ電圧により動作する。第２ドライバ基板４１０は、第２ＡＳＩＣ４１１を備える。第２ＡＳＩＣ４１１は、第１ハイサイドＳＷ４０６から供給される＋３．３Ｖ＿ＥＸＴ電圧により動作する。第１ＡＳＩＣ４０９及び第２ＡＳＩＣ４１１は、ＣＰＵ４０５の制御により、それぞれ対応する負荷の動作を制御する。
【００３８】
なお、本実施形態では、２つのドライバ基板を備える例を説明するが、ドライバ基板の数はこれに限られない。例えば、ドライバ基板を複数設けてもよい。この場合、コントローラ基板４０２は、第１ハイサイドＳＷ４０６から複数のドライバ基板の各々に＋３．３Ｖ＿ＥＸＴ電圧を供給することになる。また、１つのドライバ基板と１つのハイサイドＳＷとを備える構成であってもよい。
同様に、センサ等の負荷を複数設けてもよい。この場合、コントローラ基板４０２は、第２ハイサイドＳＷ４０７から複数の負荷の各々に＋５Ｖ＿ＥＸＴ電圧を供給することになる。また、１つの負荷と１つのハイサイドＳＷとを備える構成であってもよい。
【００３９】
図５は、このような画像形成装置１による故障箇所の特定処理を表すフローチャートである。この処理は、負荷の異常によらず、画像形成装置１の起動時から常時繰り返し実行される。コントローラ基板４０２のＣＰＵ４０５は、第１ドライバ基板４０８、第２ドライバ基板４１０、第１センサ４１２、及び第２検知センサの故障検知を行う。
【００４０】
ＣＰＵ４０５は、まず、第２ハイサイドＳＷ４０７が過電流を検知しているか否かの判定を行う（Ｓ５０１）。過電流の検知方法は第１実施形態と同様の方法で行われる。第２ハイサイドＳＷ４０７から過電流の発生が通知される場合（Ｓ５０１：Y）、ＣＰＵ４０５は、＋５電源電圧の電源系統の外部出力（＋５Ｖ＿ＥＸＴ）が故障していると判定する（Ｓ５０２）。この場合、第２ハイサイドＳＷ４０７は、第１実施形態と同様に、＋５Ｖの入力を遮断することにより、＋５Ｖ＿ＥＸＴの出力を停止している。
【００４１】
第２ハイサイドＳＷ４０７から過電流の発生が通知されていない場合（Ｓ５０１：N）、ＣＰＵ４０５は、第１センサ４１２及び第２センサ４１３が正常に動作していると判定する。ＣＰＵ４０５は、引き続き、第１ハイサイドＳＷ４０６が過電流を検知しているか否かの判定を行う（Ｓ５０３）。
【００４２】
第１ハイサイドＳＷ４０６から過電流の発生が通知される場合（Ｓ５０３：Y）、ＣＰＵ４０５は、＋３．３電源電圧の電源系統の外部出力（＋３．３Ｖ＿ＥＸＴ）が故障していると判定する（Ｓ５０４）。この場合、第１ハイサイドＳＷ４０６は、第１実施形態と同様に、＋３．３Ｖの入力を遮断することにより、＋３．３Ｖ＿ＥＸＴの出力を停止している。第１ハイサイドＳＷ４０６から過電流の発生が通知されていない場合（Ｓ５０３：N）、ＣＰＵ４０５は、第１ドライバ基板４０８及び第２ドライバ基板４１０が正常に動作していると判定する（Ｓ５０５）。以上により、故障箇所の特定処理が終了する。なお、ＣＰＵ４０５は、特定した故障箇所をユーザやコールセンタへ報知する。例えばＣＰＵ４０５は、故障箇所の操作部１０００への表示や、通信回線を介した故障箇所のコールセンタへの通知により、故障箇所の報知を行う。
【００４３】
第１ハイサイドＳＷ４０６及び第２ハイサイドＳＷ４０７を用いない場合、コントローラ基板４０２から出力される電圧の電源系統に異常が生じると、正常な電圧（＋３．３Ｖ電源電圧）がＣＰＵ４０５に供給されなくなる。この場合、ＣＰＵ４０５は、故障箇所の特定処理を実行できなくなる。本実施形態では、第１ハイサイドＳＷ４０６及び第２ハイサイドＳＷ４０７を用いることで、電源系統に故障が生じた場合であっても、ＣＰＵ４０５には、正常な電圧が供給される。そのために、ＣＰＵ４０５は、故障箇所の特定処理を実行することができる。
【００４４】
以上のように本実施形態の画像形成装置１は、第１ドライバ基板４０８、第２ドライバ基板４１０の動作、第１センサ４１２、及び第２センサ４１３の出力に異常が生じた場合に、コントローラ基板４０２からの該当する電圧の出力を停止する。具体的には、コントローラ基板４０２は、該当する電源系統に設けられるハイサイドＳＷを遮断する。これによりＣＰＵ４０５は、停止することなく故障箇所の特定処理を継続して行うことができる。また、ＣＰＵ４０５は、第１ハイサイドＳＷ４０６及び第２ハイサイドＳＷ４０７で分けられた＋３．３Ｖ＿ＥＸＴ電圧と＋５Ｖ＿ＥＸＴ電圧とのどちらに異常があるかを判別し、故障個所を特定することが可能となる。
【図１】
2020076840.tif 000003
【図２】
2020076840.tif 000004
【図３】
2020076840.tif 000005
【図４】
2020076840.tif 000006
【図５】
2020076840.tif 000007